(57)【要約】【課題】電池を電源とする携帯型ディジタル放送受信端末でディジタル放送受信を行うと処理負荷により電池寿命が極端に短くなるという課題がある。【解決手段】開閉式の表示画面を有し、開閉状態の検出手段と、検出結果に応じてトランスポートデコーダの制御と映像デコーダの制御と表示手段の制御を行い、表示画面が閉じられているときは音声のみを再生する。【選択図】  図１
2004312597.tif 000002
【特許請求の範囲】
【請求項１】
開閉式の表示画面を有する携帯情報端末であって、
表示画面部の開閉を検出する開閉検出手段と、
映像信号を復号する映像信号復号手段と、
音声信号を復号し音声出力する音声信号復号手段と、
前記映像復号手段にて復号した映像を表示画面に出力する表示手段とを有し、前期開閉検出手段が表示画面部が閉じられていることを検出したときは前記音声信号のみを出力することを特徴とする携帯情報端末。
【請求項２】
開閉式の表示画面を有する携帯型ディジタル放送受信端末であって、
表示画面部の開閉を検出する開閉検出手段と、
ディジタル放送復調手段と、
前記復調手段から出力されたトランスポートストリームを音声ストリームと映像ストリームに分離するトランスポートデコード手段と、
前記トランスポートデコード手段から出力された音声ストリームを復号し音声出力する音声復号手段と、
前記トランスポートデコード手段から出力された映像ストリームを復号する映像復号手段と、
前記映像復号手段にて復号した映像を表示画面に出力する表示手段とを有し、トランスポートデコード手段は、前期開閉検出手段が表示画面部が閉じられていることを検出したときは前記音声ストリームのみを出力することを特徴とする携帯型デジタル放送受信端末。
【請求項３】
前記映像復号手段は、前期開閉検出手段が表示画面部が閉じられていることを検出したときは映像ストリームの復号処理を行わないことを特徴とする請求項２に記載の携帯型デジタル放送受信端末。
【請求項４】
前記表示手段は、前期開閉検出手段が表示画面部が閉じられていることを検出したときは表示処理を行わないことを特徴とする請求項２に記載の携帯型デジタル放送受信端末。
【請求項５】
前記トランスポートデコード手段は、番組情報データを分離する手段を備え、
前期開閉検出手段が表示画面部が閉じられていることを検出したときは前記番組情報データをもとに番組情報画面を作成し、前記表示手段が表示画面が開けられた場合に前記番組情報画面を出力した後に前記復号映像を出力することを特徴とする請求項２に記載のディジタル放送受信端末。
【発明の詳細な説明】
【０００１】
【発明の属する技術分野】
本発明は、携帯型ディジタル放送受信端末に関するもので、特に折たたみ式に開閉する表示画面を有する携帯型ディジタル放送受信端末のディジタル放送受信処理方法に関する。
【０００２】
【従来の技術】
ディジタル放送受信端末は図２に示すようにアンテナで受けた放送電波を復調し複数のトランスポートから成るトランスポートストリームを出力するディジタル復調手段２００と、トランスポートストリームから所定のＰＩＤで指定されるトランスポートパケットを抽出しバス２０８と通じてメモリ２０１に格納するトランスポートデコーダ２０２と、メモリ２０１に格納されたトランスポートパケットを解析し音声ストリームが格納されているトランスポートパケットのＰＩＤと映像ストリームが格納されているトランスポートパケットのＰＩＤを特定しトランスポートデコーダ２０２にそれぞれのＰＩＤを与え映像ストリームと音声ストリームをメモリ２０１の所定のアドレスに抽出するよう指示するＣＰＵ２０３と、メモリ２０１の所定のアドレスからバス２０８を介して音声ストリームを読み出して復号し音声出力手段２０７で音声出力させる音声デコーダ２０４と、メモリ２０２の所定のアドレスからバス２０８を介して映像ストリームを読み出して復号し表示手段２０６で映像表示させる映像デコーダ２０５で構成される。
図３にトランスポートストリームの概要を示す。トランスポートパケットは１８８バイトのトランスポートパケットから成る。トランスポートパケットは４バイトのヘッダ部と１８４バイトのデータ部からなり、ヘッダ部にはＰＩＤというパケット識別番号が格納されている。データ部には各トランスポートパケット毎に音声ストリームや映像ストリームが格納される。さらにデータ部にはＰＡＴやＰＭＴなど放送に関連した情報や、ＥＩＴなど番組に関連した情報が格納される。ＰＩＤは音声ストリームや映像ストリーム、ＰＡＴ、ＰＭＴ、ＥＩＴそれぞれ異なる値が割り当てられて放送される。
トランスポートデコーダ２０２は音声ストリームや映像ストリームをトランスポートストリームから抽出する際に、それぞれのＰＩＤが必要となる。しかしながら音声ストリームと映像ストリームに割り当てられるＰＩＤは固定値ではないので、図４に示す処理フローをＣＰＵ２０３で行う。以下に図４の説明を行う。
放送局送出側はＰＡＴに対し０ｘ００００という固定のＰＩＤを付加してトランスポートパケットに格納し送出する。そこでＣＰＵ２０３がＰＩＤが０ｘ００００のトランスポートパケットを抽出するようトランスポートデコーダ２０２に指示を行う。ＰＡＴにはＰＭＴに割り当てられたＰＩＤが記載されている。トランスポートデコーダ２０２によってメモリ２０１に格納されたＰＡＴを読み出し、ＰＡＴの解析を行ってＰＭＴのＰＩＤを特定する（ＰＭＴのＰＩＤを０ｘ００３０とする）。次に、トランスポートデコーダ２０２にＰＩＤが０ｘ００３０のトランスポートパケットを抽出するよう指示を行う。ＰＭＴには映像ストリームに割り当てられたＰＩＤと音声ストリームに割り当てられたＰＩＤが記載されている。トランスポートデコーダ２０２によってメモリ２０１に格納されたＰＭＴを読み出し、ＰＭＴの解析を行って映像ストリームに割り当てられたＰＩＤと音声ストリームに割り当てられたＰＩＤを特定する（映像ストリームのＰＩＤを０ｘ０１００、音声ストリームのＰＩＤを０ｘ０１０１とする）。トランスポートデコーダ２０２にＰＩＤが０ｘ０１００の映像ストリームと、０ｘ０１０１の音声ストリームをそれぞれメモリ２０１の所定のアドレスに抽出するよう指示を行う。この時点で映像デコーダ２０５と音声でコーダ２０４に対し処理開始を指示し、表示手段２０６へ映像デコーダ２０６の映像出力を出力するよう指示を与える。音声デコーダ２０４はメモリ２０１の所定のアドレスから音声ストリームを読み出して復号し音声出力を行う。また、映像デコーダ２０６は、メモリ２０２の所定のアドレスから映像ストリームを読み出して復号し表示画面２０５に再生する。
【０００３】
【特許文献１】
実開昭６１−６５６３１号公報
【０００４】
【発明が解決しようとする課題】
電池を電源とする携帯電話やＰＤＡ／携帯情報端末などの携帯型ディジタル放送を受信する場合、ディジタル放送受信処理の負荷により電池寿命が極端に短くなるという課題がある。
そこで本発明は、以上の点を鑑み、携帯電話で多く用いられている開閉式の表示画面の開閉状態を検出し、表示画面が閉じられているときは音声のみを再生してディジタル放送受信処理の負荷を軽減し電池寿命の低下を低減することを目的とする。
【０００５】
【課題を解決するための手段】
第１の発明は、開閉式の表示画面を有する携帯情報端末であって、表示画面部の開閉を検出する開閉検出手段と、映像信号を復号する映像信号復号手段と、音声信号を復号し音声出力する音声信号復号手段と、前記映像復号手段にて復号した映像を表示画面に出力する表示手段とを有し、前期開閉検出手段が表示画面部が閉じられていることを検出したときは前記音声信号のみを出力することを特徴とする携帯情報端末である。
【０００６】
第２の発明は、開閉式の表示画面を有する携帯型ディジタル放送受信端末であって、表示画面部の開閉を検出する開閉検出手段と、ディジタル放送復調手段と、前記復調手段から出力されたトランスポートストリームを音声ストリームと映像ストリームに分離するトランスポートデコード手段と、前記トランスポートデコード手段から出力された音声ストリームを復号し音声出力する音声復号手段と、前記トランスポートデコード手段から出力された映像ストリームを復号する映像復号手段と、前記映像復号手段にて復号した映像を表示画面に出力する表示手段とを有し、トランスポートデコード手段は、前期開閉検出手段が表示画面部が閉じられていることを検出したときは前記音声ストリームのみを出力することを特徴とする携帯型デジタル放送受信端末である。
【０００７】
第３の発明は、第２の発明において、前記映像復号手段は、前期開閉検出手段が表示画面部が閉じられていることを検出したときは映像ストリームの復号処理を行わないことを特徴とする携帯型デジタル放送受信端末である。
【０００８】
第４の発明は、第２の発明において、前記表示手段は、前期開閉検出手段が表示画面部が閉じられていることを検出したときは表示処理を行わないことを特徴とする携帯型デジタル放送受信端末である。
【０００９】
第５の発明は、第２の発明において、前記トランスポートデコード手段は、番組情報データを分離する手段を備え、前期開閉検出手段が表示画面部が閉じられていることを検出したときは前記番組情報データをもとに番組情報画面を作成し、前記表示手段が表示画面が開けられた場合に前記番組情報画面を出力した後に前記復号映像を出力することを特徴とするディジタル放送受信端末である。
【００１０】
【発明の実施の形態】
以下、本発明の実施形態について図面を参照して説明する。図５は本発明の実施形態における携帯型ディジタル放送受信端末の外観図である。表示画面部５００と操作部５０１はヒンジ５０３で接続し、ディジタル放送受信端末を胸ポケットなどに入れる場合、表示画面部５００を閉じてコンパクトに収納できるようになっている。また、ヘッドフォン端子５０２にヘッドフォンを接続しディジタル放送端末を胸ポケットに入れたまま受信している放送の音声を聞くことが出来るようになっている。検出突起５０４と検出ボタン５０５は表示画面部５００を閉じた場合に検出突起５０４が検出ボタン５０５を押すようになっている。
図１は、本発明の実施形態における携帯型ディジタル放送受信端末のブロック図を示す。図１で従来例と同一の動作のものは図２と同一の番号を付して詳細な説明を省略する。検出ボタン５０５はＣＰＵ２０３の割り込みラインに接続されており、検出ボタン５０５を押したタイミングで割り込みを発生する。また、検出ボタン５０５を離したタイミングでも割り込みを発生する。従って、ディジタル放送受信端末の表示画面部５００を閉じたタイミング、および、表示画面部５００を開けたタイミングでＣＰＵ２０３に割り込みが発生する。図６にＣＰＵ２０３における処理フローを示す。
放送局送出側は０ｘ００００という固定のＰＩＤを付加してＰＡＴを、０ｘ００２７という固定のＰＩＤを負荷してＥＩＴをトランスポートパケットに格納し送出する。ＣＰＵ２０３がＰＩＤが０ｘ００００と０ｘ００２７のトランスポートパケットを抽出するようトランスポートデコーダ２０２に指示を行う。ＥＩＴには放送中の番組に関する情報（番組タイトルなど）が格納されている。ＣＰＵ２０３はＰＡＴがメモリ２０１に格納されるとＰＡＴの解析を行い、トランスポートデコーダ２０２にＰＭＴのＰＩＤ（以下、０ｘ００３０とする）を抽出するよう指示を行う。ＣＰＵ２０３はＰＭＴがメモリ２０１に格納されるとＰＭＴの解析を行い、トランスポートデコーダ２０２に音声ストリームのＰＩＤ（以下、０ｘ０１００とする）と映像ストリームのＰＩＤ（以下、０ｘ０１０１とする）をそれぞれメモリの所定のアドレスに抽出するよう指示を行う。映像デコーダ２０５と音声でコーダ２０４に対し処理開始を指示し、表示手段２０６へ映像デコーダ２０６の映像出力を出力するよう指示を与える。
音声デコーダ２０４はメモリ２０１の所定のアドレスから音声ストリームを読み出して復号し音声出力を行う。また、映像デコーダ２０５は、メモリ２０２の所定のアドレスから映像ストリームを読み出して復号し表示手段２０６に表示再生する。
図７にディジタル放送受信端末の表示画面部５００を開閉し割り込みが発生した場合のＣＰＵ２０３における処理フローを示す。割り込みが発生するとＣＰＵ２０３は割り込み要因を調べ、表示画面部５００が開いたのか、閉じたのかを特定する。表示画面部５００が閉じられた場合、トランスポートデコーダ２００に映像ストリームのＰＩＤである０ｘ０１００の抽出を停止するよう指示を与え、さらに映像デコーダ２０５に処理を停止するよう指示を与える。次に、メモリ２０１に格納されたＥＩＴを読み出し、ＥＩＴの解析を行う。ＥＩＴは放送中の番組のタイトル、内容を格納しているので、これらの情報を用いて図８のような番組情報画面を作成し、表示手段２０６に対し表示画面部５００への出力を映像デコーダ２０５の映像出力から番組情報画面へ切り替えるよう指示を行い、その後表示手段２０６に表示停止指示を行う。
割り込み要因が表示画面部５００が開かれたことによるものである場合、表示手段２０６に表示開始指示を与え番組情報画面を出力させる。次に、メモリ２０１からＰＭＴを再度読み出し、ＰＭＴを解析して映像ストリームのＰＩＤを特定しトランスポートデコーダ２００にＰＩＤの指示を与える。さらに映像デコーダ２０５の処理開始を指示し、表示手段２０６に対し表示画面部５００への出力を番組情報画面から映像デコーダ２０５の映像出力に切り替えるように指示を行い、表示画面に映像表示させる。
【００１１】
以上のように本実施の形態によれば、表示画面部の開閉状態をＣＰＵで検出し、表示画面部が閉じられたときは映像デコード処理、映像表示処理を行わず、表示画面が開かれたときに映像デコード処理、映像表示処理を再開することができる。
【００１２】
なお、本実施の形態では表示画面部を閉じた場合に、トランスポートストリームからの映像ストリームの抽出停止、映像ストリームの復号停止、映像表示停止を同時に行ったが、これに限るものでなく個別に行っても効果がある。具体的にはトランスポートストリームからの映像ストリームの抽出を停止することにより、メモリのアクセス回数が激減し電力低減効果がある。映像ストリームの復号を停止することによりＭＰＥＧ２やＭＰＥＧ４で圧縮された映像ストリームを復号する際に必要な電力を減らす効果がある。映像表示を停止することにより液晶の駆動や液晶バックライトの消灯が行え電力を減らすことができる。
また、表示画面を閉じた場合は番組情報画面を作成し、表示画面を開けた場合に直ちに番組情報画面を表示し、その後ディジタル放送の映像が表示可能となったタイミングで映像表示に切り替えることで、映像が表示されるまでの待ち時間に対するユーザーのストレスを低減することが出来る。
【００１３】
【発明の効果】
本発明によれば、開閉式の表示画面を有する携帯型ディジタル放送受信端末において、表示画面を閉じた場合に、トランスポートストリームからの映像ストリームの抽出停止、映像ストリームの復号停止、映像表示停止を行い、ディジタル放送の音声のみを再生することにより、映像処理に必要な負荷を低減することができ従来よりも電池寿命が長いディジタル放送受信端末を提供することが出来る。
【００１４】
また、表示画面を閉じた場合は番組情報画面を作成し、表示画面を開けた場合に直ちに番組情報画面を表示し、その後ディジタル放送の映像が表示可能となったタイミングで映像表示に切り替えることで、映像が表示されるまでの待ち時間に対するユーザーのストレスを低減することが出来る。
【図面の簡単な説明】
【図１】本発明の実施例に係わるディジタル放送受信端末の構成を示したブロック図
【図２】従来のディジタル放送受信端末の構成を示したブロック図
【図３】トランスポートストリームの構成を示した概念図
【図４】従来のディジタル放送受信端末の動作を示すフローチャート
【図５】本発明の実施例に係わるディジタル放送受信端末の外観を示した概念図
【図６】本発明の実施例に係わるディジタル放送受信端末の動作を示すフローチャート
【図７】表示画面部の開閉に関わる割り込み発生時の動作を示すフローチャート
【図８】番組情報画面の概念図
【符号の説明】
２０３  ＣＰＵ
２００  復調手段
２０１  メモリ
２０２  トランスポートデコーダ
２０４  音声でコーダ
２０５  映像デコーダ
２０６  表示手段
２０７  音声出力手段
２０８  バス
５００  表示画面部
５０１  操作部
５０２  ヘッドフォン端子
５０３  ヒンジ
５０４  検出突起
５０５  検出ボタン
【図１】
2004312597.tif 000003
【図２】
2004312597.tif 000004
【図３】
2004312597.tif 000005
【図４】
2004312597.tif 000006
【図５】
2004312597.tif 000007
【図６】
2004312597.tif 000008
【図７】
2004312597.tif 000009
【図８】
2004312597.tif 000010